(57)【要約】【課題】蓋体を容易に且つ安全に取り外すことを可能とした蓋付き容器を提供する。【解決手段】蓋体３は、開口部２ａを覆う外蓋９と、開口部２ａから容器本体２の内側に嵌め込まれる内蓋１０と、内蓋１０の外周部に取り付けられた状態で、容器本体２と内蓋１０との間を密閉するシール部材１３と、外蓋９の内側中央部に位置して、内蓋１０の内側に嵌め込まれる中栓１１と、中栓１１の底面中央部に位置して、内蓋１０の中央部に設けられた通気孔１７を閉塞する栓体１８とを有し、容器本体２の内周部に設けられた第１の雌ネジ部７と、内蓋１０の外周部に設けられた第１の雄ネジ部１２との螺合によって、容器本体２に対して内蓋１０が着脱自在に取り付けられると共に、内蓋１０の内周部に設けられた第２の雌ネジ部１５と、中栓１１の外周部に設けられた第２の雄ネジ部１６との螺合によって、中栓１１に対して内蓋１０が着脱自在に取り付けられる。【選択図】図９
2020186014.tif 000002
【特許請求の範囲】
【請求項１】
上部に開口部が設けられた容器本体と、
前記開口部を開閉する蓋体とを備え、
前記蓋体は、前記開口部を覆う外蓋と、
前記開口部から前記容器本体の内側に嵌め込まれる内蓋と、
前記内蓋の外周部に取り付けられた状態で、前記容器本体と前記内蓋との間を密閉するシール部材と、
前記外蓋の内側中央部に位置して、前記内蓋の内側に嵌め込まれる中栓と、
前記中栓の底面中央部に位置して、前記内蓋の中央部に設けられた通気孔を閉塞する栓体とを有し、
前記容器本体の内周部に設けられた第１の雌ネジ部と、前記内蓋の外周部に設けられた第１の雄ネジ部との螺合によって、前記容器本体に対して前記内蓋が着脱自在に取り付けられると共に、
前記内蓋の内周部に設けられた第２の雌ネジ部と、前記中栓の外周部に設けられた第２の雄ネジ部との螺合によって、前記中栓に対して前記内蓋が着脱自在に取り付けられることを特徴とする蓋付き容器。
【請求項２】
前記第２の雌ネジ部と前記第２の雄ネジ部との螺合が開始される位置にて前記中栓に対して前記内蓋を仮止めする仮止め機構を備え、
前記仮止め機構により前記中栓に対して前記内蓋が仮止めされた状態から、前記第２の雌ネジ部と前記第２の雄ネジ部との螺合によって、前記中栓に対して前記内蓋が取り付けられることを特徴する請求項１に記載の蓋付き容器。
【請求項３】
前記仮止め機構により前記中栓に仮止めされた前記内蓋を前記開口部から前記容器本体の内側に嵌め込んだ状態から、前記外蓋を閉方向に回すことによって、前記第１の雌ネジ部と前記第１の雄ネジ部との螺合が開始されると共に、前記シール部材が前記容器本体の内周部に設けられた張出部に当接した状態から、前記第２の雌ネジ部と前記第２の雄ネジ部との螺合が開始されることを特徴する請求項２に記載の蓋付き容器。
【請求項４】
前記内蓋を前記開口部から前記容器本体の内側に嵌め込むと共に、前記中栓を前記内蓋の内側に嵌め込んだ状態から、前記外蓋を閉方向に回すことによって、前記第１の雌ネジ部と前記第１の雄ネジ部との螺合が開始されると共に、前記シール部材が前記容器本体の内周部に設けられた張出部に当接した状態から、前記第２の雌ネジ部と前記第２の雄ネジ部との螺合が開始されることを特徴する請求項１に記載の蓋付き容器。
【請求項５】
前記内蓋を前記開口部から前記容器本体の内側に嵌め込むことによって、前記シール部材が前記容器本体の内周部に設けられた張出部に当接した状態となると共に、前記中栓を前記内蓋の内側に嵌め込んだ状態から、前記外蓋を閉方向に回すことによって、前記第２の雌ネジ部と前記第２の雄ネジ部との螺合が開始されることを特徴する請求項１に記載の蓋付き容器。
【請求項６】
前記仮止め機構により前記中栓に仮止めされた前記内蓋を前記開口部から前記容器本体の内側に嵌め込むと共に、前記シール部材が前記容器本体の内周部に設けられた張出部に当接した状態から、前記外蓋を閉方向に回すことによって、前記第２の雌ネジ部と前記第２の雄ネジ部との螺合が開始されることを特徴する請求項２に記載の蓋付き容器。
【請求項７】
前記容器本体に前記蓋体が取り付けられた状態から、前記外蓋を開方向に回すことによって、前記第２の雌ネジ部と前記第２の雄ネジ部との螺合が解除された後に、前記中栓の外周部に設けられた外周側当接部に、前記内蓋の内周部に設けられた内周側当接部が当接した状態から、前記内蓋が前記外蓋と一体に開方向に回ることによって、前記第１の雌ネジ部と前記第１の雄ネジ部との螺合が解除されて、前記容器本体から前記蓋体が取り外し可能な状態となることを特徴とする請求項１〜６の何れか一項に記載の蓋付き容器。
【請求項８】
前記第２の雌ネジ部と前記第２の雄ネジ部との螺合が解除される位置において、前記通気孔の周囲に対する前記栓体の当接が解除されることによって、前記通気孔が開放された状態となることを特徴とする請求項７に記載の蓋付き容器。
【請求項９】
前記仮止め機構は、前記中栓の外周部に設けられた被係止部と、前記内蓋の周壁部に設けられて、前記内蓋の拡径方向に弾性変形可能な第１の弾性片と、前記第１の弾性片に設けられて、前記被係止部に係止される係止部とを有することを特徴とする請求項２、３、６の何れか一項に記載の蓋付き容器。
【請求項１０】
前記第１の弾性片の外周側に前記第１の雄ネジ部が設けられていることを特徴とする請求項９に記載の蓋付き容器。
【請求項１１】
前記第２の雌ネジ部と前記第２の雄ネジ部との螺合が完了する間にクリック感を付与するクリック機構を備えることを特徴とする請求項１〜１０の何れか一項に記載の蓋付き容器。
【請求項１２】
前記クリック機構は、前記外蓋に設けられた外側係合凸部と、前記内蓋に設けられた内側係合凸部とを有して、前記外側係合凸部と前記内側係合凸部との何れか一方が何れか他方を乗り越えたときにクリック感を付与することを特徴とする請求項１１に記載の蓋付き容器。
【請求項１３】
前記クリック機構は、前記内蓋に設けられて、前記内蓋の縮径方向に弾性変形可能な第２の弾性片を有し、
前記内側係合凸部は、前記第２の弾性片に設けられていることを特徴とする請求項１２に記載の蓋付き容器。
【請求項１４】
前記外側係合凸部と前記内側係合凸部との何れか一方が何れか他方を乗り越えるときの抵抗が、前記外蓋を閉方向に回したときよりも前記外蓋を開方向に回したときの方が大きいことを特徴とする請求項１２又は１３に記載の蓋付き容器。
【請求項１５】
前記容器本体は、真空断熱構造を有することを特徴とする請求項１〜１４の何れか一項に記載の蓋付き容器。
【発明の詳細な説明】
【技術分野】
【０００１】
本発明は、蓋付き容器に関する。
【背景技術】
【０００２】
例えば、真空断熱構造を有する容器本体によって保温・保冷機能を持たせた蓋付き容器がある（例えば、下記特許文献１を参照。）。このような蓋付き容器では、内蓋及び外蓋を用いて容器本体に設けられた開口部を密閉する構造が採用されている。
【０００３】
具体的に、蓋付き容器は、上部に開口部が設けられた容器本体と、開口部から容器本体の内側に嵌め込まれた状態で開口部を閉塞する内蓋と、内蓋に取り付けられた状態で容器本体と内蓋との間を密閉する止水パッキン（シール部材）と、開口部を外側から覆った状態で容器本体に螺合により装着される外蓋とを備えている。また、蓋付き容器は、内蓋に設けられた空気孔（通気孔）を外蓋に設けられた閉栓パッキン（栓体）が閉塞する構造となっている。
【０００４】
蓋付き容器では、容器本体に外蓋が装着されたときに、閉栓パッキンが内蓋と当接されることによって、内蓋の上方側への移動を規制している。また、蓋付き容器では、容器本体から外蓋を取り外す際に、閉栓パッキンによる空気孔の閉塞が解除される。これにより、容器本体内の圧力が低下した（負圧となった）場合でも、容器本体から外蓋を取り外したときに空気孔を通して外気が導入されるため、容器本体内の圧力が大気圧と同じとなる。したがって、内蓋が容器本体の内側に引っ張られることなく、内蓋を容器本体から容易に取り外すことが可能である。
【先行技術文献】
【特許文献】
【０００５】
【特許文献１】特開２０１３−２２７０３４号公報
【発明の概要】
【発明が解決しようとする課題】
【０００６】
ところで、上述した従来の蓋付き容器では、例えば容器本体の内部に高温の内容物を入れたときや、容器本体内の内容物が腐敗してガスが発生したときに、内蓋及び外蓋により密閉された容器本体内の圧力が上昇する（陽圧となる）のに伴って、内蓋が外蓋に押し付けられた状態となる。
【０００７】
このとき、容器本体と外蓋との間で螺合による締結力が増すことによって、外蓋を取り外す方向に回しづらくなることがあった。また、外蓋を取り外す際に、容器本体内の圧力が勢い良く開放されることによって、大きな音が鳴ったり、内蓋が上方側に飛び出したりすることがあった。
【０００８】
また、上述した従来の蓋付き容器では、例えば容器本体の内部に高温の内容物を入れてから時間が経過したときに、その温度が下がることによって、内蓋及び外蓋により密閉された容器本体内の圧力が低下し（負圧となり）、内蓋が容器本体に押し付けられた状態となる。
【０００９】
このとき、容器本体と外蓋との間で螺合による締結力が減少することにより、外蓋が緩み易くなることがあった。
【００１０】
本発明は、このような従来の事情に鑑みて提案されたものであり、蓋体を容易に且つ安全に取り外すことを可能とした蓋付き容器を提供することを目的とする。
【課題を解決するための手段】
【００１１】
上記目的を達成するために、本発明は以下の手段を提供する。
〔１〕  上部に開口部が設けられた容器本体と、
前記開口部を開閉する蓋体とを備え、
前記蓋体は、前記開口部を覆う外蓋と、
前記開口部から前記容器本体の内側に嵌め込まれる内蓋と、
前記内蓋の外周部に取り付けられた状態で、前記容器本体と前記内蓋との間を密閉するシール部材と、
前記外蓋の内側中央部に位置して、前記内蓋の内側に嵌め込まれる中栓と、
前記中栓の底面中央部に位置して、前記内蓋の中央部に設けられた通気孔を閉塞する栓体とを有し、
前記容器本体の内周部に設けられた第１の雌ネジ部と、前記内蓋の外周部に設けられた第１の雄ネジ部との螺合によって、前記容器本体に対して前記内蓋が着脱自在に取り付けられると共に、
前記内蓋の内周部に設けられた第２の雌ネジ部と、前記中栓の外周部に設けられた第２の雄ネジ部との螺合によって、前記中栓に対して前記内蓋が着脱自在に取り付けられることを特徴とする蓋付き容器。
〔２〕  前記第２の雌ネジ部と前記第２の雄ネジ部との螺合が開始される位置にて前記中栓に対して前記内蓋を仮止めする仮止め機構を備え、
前記仮止め機構により前記中栓に対して前記内蓋が仮止めされた状態から、前記第２の雌ネジ部と前記第２の雄ネジ部との螺合によって、前記中栓に対して前記内蓋が取り付けられることを特徴する前記〔１〕に記載の蓋付き容器。
〔３〕  前記仮止め機構により前記中栓に仮止めされた前記内蓋を前記開口部から前記容器本体の内側に嵌め込んだ状態から、前記外蓋を閉方向に回すことによって、前記第１の雌ネジ部と前記第１の雄ネジ部との螺合が開始されると共に、前記シール部材が前記容器本体の内周部に設けられた張出部に当接した状態から、前記第２の雌ネジ部と前記第２の雄ネジ部との螺合が開始されることを特徴する前記〔２〕に記載の蓋付き容器。
〔４〕  前記内蓋を前記開口部から前記容器本体の内側に嵌め込むと共に、前記中栓を前記内蓋の内側に嵌め込んだ状態から、前記外蓋を閉方向に回すことによって、前記第１の雌ネジ部と前記第１の雄ネジ部との螺合が開始されると共に、前記シール部材が前記容器本体の内周部に設けられた張出部に当接した状態から、前記第２の雌ネジ部と前記第２の雄ネジ部との螺合が開始されることを特徴する前記〔１〕に記載の蓋付き容器。
〔５〕  前記内蓋を前記開口部から前記容器本体の内側に嵌め込むことによって、前記シール部材が前記容器本体の内周部に設けられた張出部に当接した状態となると共に、前記中栓を前記内蓋の内側に嵌め込んだ状態から、前記外蓋を閉方向に回すことによって、前記第２の雌ネジ部と前記第２の雄ネジ部との螺合が開始されることを特徴する前記〔１〕に記載の蓋付き容器。
〔６〕  前記仮止め機構により前記中栓に仮止めされた前記内蓋を前記開口部から前記容器本体の内側に嵌め込むと共に、前記シール部材が前記容器本体の内周部に設けられた張出部に当接した状態から、前記外蓋を閉方向に回すことによって、前記第２の雌ネジ部と前記第２の雄ネジ部との螺合が開始されることを特徴する前記〔２〕に記載の蓋付き容器。
〔７〕  前記容器本体に前記蓋体が取り付けられた状態から、前記外蓋を開方向に回すことによって、前記第２の雌ネジ部と前記第２の雄ネジ部との螺合が解除された後に、前記中栓の外周部に設けられた外周側当接部に、前記内蓋の内周部に設けられた内周側当接部が当接した状態から、前記内蓋が前記外蓋と一体に開方向に回ることによって、前記第１の雌ネジ部と前記第１の雄ネジ部との螺合が解除されて、前記容器本体から前記蓋体が取り外し可能な状態となることを特徴とする前記〔１〕〜〔６〕の何れか一項に記載の蓋付き容器。
〔８〕  前記第２の雌ネジ部と前記第２の雄ネジ部との螺合が解除される位置において、前記通気孔の周囲に対する前記栓体の当接が解除されることによって、前記通気孔が開放された状態となることを特徴とする前記〔７〕に記載の蓋付き容器。
〔９〕  前記仮止め機構は、前記中栓の外周部に設けられた被係止部と、前記内蓋の周壁部に設けられて、前記内蓋の拡径方向に弾性変形可能な第１の弾性片と、前記第１の弾性片に設けられて、前記被係止部に係止される係止部とを有することを特徴とする前記〔２〕、〔３〕、〔６〕の何れか一項に記載の蓋付き容器。
〔１０〕  前記第１の弾性片の外周側に前記第１の雄ネジ部が設けられていることを特徴とする前記〔９〕に記載の蓋付き容器。
〔１１〕  前記第２の雌ネジ部と前記第２の雄ネジ部との螺合が完了する間にクリック感を付与するクリック機構を備えることを特徴とする前記〔１〕〜〔１０〕の何れか一項に記載の蓋付き容器。
〔１２〕  前記クリック機構は、前記外蓋に設けられた外側係合凸部と、前記内蓋に設けられた内側係合凸部とを有して、前記外側係合凸部と前記内側係合凸部との何れか一方が何れか他方を乗り越えたときにクリック感を付与することを特徴とする前記〔１１〕に記載の蓋付き容器。
〔１３〕  前記クリック機構は、前記内蓋に設けられて、前記内蓋の縮径方向に弾性変形可能な第２の弾性片を有し、
前記内側係合凸部は、前記第２の弾性片に設けられていることを特徴とする前記〔１２〕に記載の蓋付き容器。
〔１４〕  前記外側係合凸部と前記内側係合凸部との何れか一方が何れか他方を乗り越えるときの抵抗が、前記外蓋を閉方向に回したときよりも前記外蓋を開方向に回したときの方が大きいことを特徴とする前記〔１２〕又は〔１３〕に記載の蓋付き容器。
〔１５〕  前記容器本体は、真空断熱構造を有することを特徴とする前記〔１〕〜〔１４〕の何れか一項に記載の蓋付き容器。
【発明の効果】
【００１２】
以上のように、本発明によれば、蓋体を容易に且つ安全に取り外すことを可能とした蓋付き容器を提供することが可能である。
【図面の簡単な説明】
【００１３】
【図１】本発明の一実施形態に係る蓋付き容器を上方側から見た分解斜視図である。
【図２】図１に示す蓋付き容器を下方側から見た分解斜視図である。
【図３】図１に示す蓋付き容器が備える外蓋及び中栓を下方側から見た斜視図である。
【図４】図１に示す蓋付き容器が備える内蓋を上方側から見た斜視図である。
【図５】図１に示す蓋付き容器が備える内蓋を下方側から見た斜視図である。
【図６】図１に示す蓋付き容器において、中栓に対して内蓋が仮止めされた状態を示す断面図である。
【図７】図１に示す蓋付き容器において、止水パッキンが張出部に当接した状態を示す断面図である。
【図８】図１に示す蓋付き容器において、中栓に対して内蓋が取り付けられた状態を示す断面図である。
【図９】図１に示す蓋付き容器において、容器本体に対して外蓋が取り付けられた状態を示す断面図である。
【図１０】図１に示す蓋付き容器において、第２の雌ネジ部と第２の雄ネジ部との螺合が解除された状態を示す断面図である。
【図１１】図１に示す蓋付き容器において、第１の雌ネジ部と第１の雄ネジ部との螺合が解除された状態を示す断面図である。
【図１２】図１に示す蓋付き容器が備えるクリック機構において、外蓋を閉方向に回したときの内側係合凸部が外側係合凸部を乗り越えた後の状態を一部を切り欠いて示す斜視図である。
【図１３】図１に示す蓋付き容器が備えるクリック機構において、外蓋を開方向に回したときの内側係合凸部が外側係合凸部を乗り越えた後の状態を一部を切り欠いて示す斜視図である。
【発明を実施するための形態】
【００１４】
以下、本発明の実施形態について、図面を参照して詳細に説明する。
本発明の一実施形態として、例えば図１〜図１３に示す蓋付き容器１について説明する。
なお、図１は、蓋付き容器１を上方側から見た分解斜視図である。図２は、蓋付き容器１を下方側から見た分解斜視図である。図３は、蓋付き容器１が備える外蓋９及び中栓１１を下方側から見た斜視図である。図４は、蓋付き容器１が備える内蓋１０を上方側から見た斜視図である。図５は、蓋付き容器１が備える内蓋１０を下方側から見た斜視図である。図６は、蓋付き容器１において、中栓１１に対して内蓋１０が仮止めされた状態を示す断面図である。図７は、蓋付き容器１において、止水パッキン１３が張出部８に当接した状態を示す断面図である。図８は、蓋付き容器１において、中栓１１に対して内蓋１０が取り付けられた状態を示す断面図である。図９は、蓋付き容器１において、容器本体２に対して外蓋９が取り付けられた状態を示す断面図である。図１０は、蓋付き容器１において、第２の雌ネジ部１５と第２の雄ネジ部１６との螺合が解除された状態を示す断面図である。図１１は、蓋付き容器１において、第１の雌ネジ部７と第１の雄ネジ部１２との螺合が解除された状態を示す断面図である。図１２は、蓋付き容器１が備えるクリック機構２７において、外蓋９を閉方向に回したときの内側係合凸部２９が外側係合凸部２８を乗り越えた後の状態を一部を切り欠いて示す斜視図である。図１３は、蓋付き容器１が備えるクリック機構２７において、外蓋９を開方向に回したときの内側係合凸部２９が外側係合凸部２８を乗り越えた後の状態を一部を切り欠いて示す斜視図である。
【００１５】
本実施形態の蓋付き容器１は、図１及び図２に示すように、容器本体２と、容器本体２の上部に設けられた開口部２ａを開閉する蓋体３とを備えている。蓋付き容器１は、真空断熱構造を有する容器本体２によって、容器本体２に収容された具材（内容物）を保温することが可能なスープジャーである。
【００１６】
なお、本実施形態の蓋付き容器１は、全体として略円筒状の外観形状を有しているが、蓋付き容器１の外観形状については、特に限定されるものではなく、サイズやデザイン等に合わせて、適宜変更を加えることが可能である。また、容器本体２の外周面には、塗装や印刷等が施されていてもよい。
【００１７】
容器本体２は、図１、図２、及び図７〜図１１に示すように、例えばステンレス等からなる金属製の外容器４及び内容器５を有している。容器本体２は、一端が開口した有底筒状の外容器４の内側に、一端が開口した有底筒状の内容器５を収容した状態で、互いの開口端同士が接合されると共に、これら外容器４と内容器５との間に真空断熱層６が設けられた断熱容器により構成されている。
【００１８】
真空断熱層６は、例えば、高真空に減圧（真空引き）されたチャンバー内で、外容器４の底面中央部に設けられた脱気孔をろう材により封止することによって形成することができる。
【００１９】
容器本体２では、このような真空断熱構造を有することで、保温や保冷といった機能を持たせることが可能である。また、容器本体２では、このような真空断熱構造を有することで、内圧（真空圧）と外圧（大気圧）の差により外容器４及び内容器５に対して常に張力が加わった状態となり、これら外容器４及び内容器５の機械的強度が増すことになる。これにより、外容器４及び内容器５の板厚を薄くした場合でも、容器本体２の剛性を高めることが可能であり、この容器本体２の軽量化を図ることが可能である。
【００２０】
容器本体２は、略円形状の底面部２ｂと、底面部２ｂの外周から略円筒状に起立した胴部２ｃと、胴部２ｃの上部側において縮径された略円筒状の口頸部２ｄとを有している。また、口頸部２ｄの上端部は、容器本体２の開口部２ａとして、円形状に開口している。また、口頸部２ｄ（内容器５）の内周面には、第１の雌ネジ部７が設けられている。さらに、第１の雌ネジ部７の下方には、リング状の張出部８が内容器５（容器本体２）の内周面から全周に亘って突出して設けられている。
【００２１】
蓋体３は、容器本体２の開口部２ａを覆う外蓋９と、開口部２ａから容器本体２の内側に嵌め込まれる内蓋１０と、内蓋１０の底面外周部に取り付けられた状態で、容器本体２と内蓋１０との間を密閉するシール部材１３と、外蓋９の内側中央部に位置して、内蓋１０の内側に嵌め込まれる中栓１１と、中栓１１の底面中央部に位置して、内蓋１０の底面中央部に設けられた通気孔１７を閉塞する栓体１８とを有している。
【００２２】
外蓋９は、図１〜図３、及び図７〜図１１に示すように、例えばポリプロピレン等の耐熱性樹脂からなり、容器本体２の胴部２ｃの外径に合わせて略円筒状に形成された周壁部９ａと、周壁部９ａの上部を閉塞する上壁部９ｂとを有している。
【００２３】
内蓋１０は、図１、図２及び図４〜図１１に示すように、例えばポリプロピレン等の耐熱性樹脂からなり、略円形状の底壁部１０ａと、底壁部１０ａの外周から略円筒状に起立した周壁部１０ｂとを有している。また、周壁部１０ｂの外周面の上端側には、リング状の上側フランジ部１０ｃが全周に亘って突出して設けられている。
【００２４】
周壁部１０ｂ（内蓋１０）の外周面には、上述した容器本体２側の第１の雌ネジ部７と螺合される第１の雄ネジ部１２が設けられている。蓋付き容器１では、これら第１の雌ネジ部７と第１の雄ネジ部１２との螺合によって、容器本体２に対して内蓋１０が着脱自在に取り付けられている。
【００２５】
また、第１の雌ネジ部７と第１の雄ネジ部１２とは、互いに相補形を為す二条ネジからなる。二条ネジを用いた場合、容器本体２に対して内蓋１０を少ない回転操作（本実施形態では約１８０°）で着脱することが可能である。
【００２６】
具体的に、二条ネジでは、第１の雌ネジ部７と第１の雄ネジ部１２との螺合の開始位置が２箇所存在しており、互いの二条ネジを構成する一方のネジ山と他方のネジ山とが所定ピッチで螺旋状に形成されると共に、一方のネジ山の始端と他方のネジ山の始端とが軸線回りに１８０゜の位相差を持って配置されている。
【００２７】
蓋付き容器１では、第１の雌ネジ部７と第１の雄ネジ部１２とを螺合させながら、容器本体２に対して内蓋１０を右回り（以下、「閉方向」という。）に回転させることによって、容器本体２に内蓋１０を取り付けることが可能である。一方、容器本体２に内蓋１０が取り付けられた状態から、容器本体２に対して内蓋１０を左回り（以下、「開方向」という。）に回転させることによって、第１の雌ネジ部７と第１の雄ネジ部１２との螺合を解除し、容器本体２から内蓋１２を取り外すことが可能である。
【００２８】
内蓋１０の底面側の外周部には、止水パッキン１３が着脱自在に取り付けられている。止水パッキン１３は、容器本体２と内蓋１０との間を密閉するリング状のシール部材であり、例えばシリコーンゴム等の耐熱性を有するゴムやエラストマーなどの弾性部材からなる。
【００２９】
内蓋１０には、リング状の下側フランジ部１０ｄが底壁部１０ａの外周から拡径方向に突出して設けられている。止水パッキン１３は、この下側フランジ部１０ｄに全周に亘って嵌め付けられている。
【００３０】
一方、止水パッキン１３は、それ自体を弾性変形させる（引っ張り伸ばす）ことによって、下側フランジ部１０ｄから取り外すことが可能である。これにより、内蓋１０と止水パッキン１３とをそれぞれ別々に洗浄することができ、内蓋１０と止水パッキン１３との間を衛生的に保つことが可能である。
【００３１】
また、止水パッキン１３の外周部には、弾性フランジ部１３ａが設けられている。弾性フランジ部１３ａは、止水パッキン１３の外周面の上端から下方に向かって湾曲しながら突出した形状を有している。
【００３２】
止水パッキン１３は、容器本体２に内蓋１０が取り付けられた際に、弾性フランジ部１３ａが弾性変形しながら、張出部８に全周に亘って密着した状態となる。これにより、容器本体２と内蓋１０との間を止水パッキン１３により密閉することができる。
【００３３】
中栓１１は、例えばポリプロピレン等の耐熱性樹脂からなり、有底略円筒形状を有して、上壁部９ｂの下面中央部に溶着等により一体に取り付けられている。中栓１１の内側には、断熱層として、例えば発泡ウレタン樹脂などからなる断熱材１４が配置されている。また、断熱層としては、上述した断熱材１４の代わりに、空気（空隙）であってもよい。
【００３４】
周壁部１０ｂ（内蓋１０）の内周面には、第２の雌ネジ部１５が設けられている。一方、中栓１１の外周面には、この第２の雌ネジ部１５と螺合される第２の雄ネジ部１６が設けられている。蓋体３では、これら第２の雌ネジ部１５と第２の雄ネジ部１６との螺合によって、中栓１１に対して内蓋１０が着脱自在に取り付けられている。
【００３５】
また、第２の雌ネジ部１５は、互いに相補形を為す一方のネジ溝の始端と他方のネジ溝の始端とが軸線回りに１８０゜の位相差を持って配置され、内蓋１０の軸回りに約３０°の角度範囲に亘って設けられている。一方、第２の雄ネジ部１６は、第２の雌ネジ部１５に対応して、互いに相補形を為す一方のネジ山の始端と他方のネジ山の始端とが軸線回りに１８０゜の位相差を持って配置され、中栓１１の軸回りに約１８０°の角度範囲に亘って設けられている。なお、第２の雄ネジ部１６のうち、第２の雌ネジ部１５と実際に螺合されるのは先端から約３０°の角度範囲である。したがって、それ以外の部分については、第２の雌ネジ部１５と螺合されることがないため、必ずしもネジ山を構成していなくてもよい。
【００３６】
蓋体３では、この蓋体３を下方側から見たときに、第２の雌ネジ部１５と第２の雄ネジ部１６とを螺合させながら、中栓１１に対して内蓋１０を右回り（以下、「閉方向」という。）に回転させることによって、第２の雌ネジ部１５と第２の雄ネジ部１６との螺合が完了した位置（以下、「取付位置」という。）にて、中栓１１に内蓋１０を取り付けることが可能である。一方、蓋体３では、この蓋体３を下方側から見たときに、中栓１１に内蓋１０が取り付けられた状態から、中栓１１に対して内蓋１０を左回り（以下、「開方向」という。）に回転させることによって、第２の雌ネジ部１５と第２の雄ネジ部１６との螺合を解除し、中栓１１から内蓋１０を取り外すことが可能である。
【００３７】
内蓋１０には、図１、図２及び図４〜図１１に示すように、底壁部１０ａの中央部分を貫通する円形状の通気孔１７が設けられている。一方、中栓１１の底面中央部には、取付位置にて通気孔１７を閉塞する栓体１８が設けられている。
【００３８】
栓体１８は、例えばシリコーンゴム等の耐熱性を有するゴムやエラストマーなどの弾性部材からなる。栓体１８は、その中央部分をドーム状に膨出させた突起部１８ａと、突起部１８ａの周囲から拡径方向に延長されたフランジ部１８ｂと、突起部１８ａとは反対側から円筒状に突出された円筒部１８ｃと、円筒部１８ｃの外周面を切り欠くリング状の溝部１８ｄとを有している。
【００３９】
一方、中栓１１は、その底面中央部に円筒部１８ｃが嵌合される嵌合凹部１１ａと、嵌合凹部１１ａの内周面から突出されて溝部１８ｄに嵌合される嵌合凸部１１ｂとを有している。これにより、栓体１８は、中栓１１の底面中央部に着脱自在に取り付けられている。
【００４０】
蓋体３では、上述した中栓１１に内蓋１０が螺合により取り付けられた際に、栓体１８の突起部１８ａが弾性変形しながら、通気孔１７の周囲と当接されることによって、通気孔１７を閉塞することが可能となっている。また、蓋体３では、中栓１１から栓体１８を取り外して、中栓１１と栓体１８を別々に洗浄できるため、これら中栓１１と栓体１８との間を衛生的に保つことが可能である。
【００４１】
蓋体３は、図１〜図６に示すように、第２の雌ネジ部１５と第２の雄ネジ部１６との螺合が開始される位置（以下、「仮止め位置」という。）において、中栓１１に対して内蓋１０を仮止めする仮止め機構１９を備えている。仮止め位置は、上述した第２の雌ネジ部１５と第２の雄ネジ部１６との螺合が開始される位置であると共に、第２の雌ネジ部１５と第２の雄ネジ部１６との螺合が解除される位置でもある。
【００４２】
仮止め機構１９は、中栓１１の外周部に設けられた被係止部２０と、内蓋１０の周壁部１０ｂに設けられた一対の第１の弾性片２１と、各第１の弾性片２１の先端側に設けられた係止部２２とを有している。
【００４３】
また、内蓋１０及び中栓１１には、それぞれ仮止め位置を表す目印（図示せず）が設けられている。すなわち、蓋体３では、内蓋１０側の目印と中栓１１側の目印との位置合わせによって、中栓１１に対して内蓋１０を仮止め位置に位置決めすることができる。
【００４４】
被係止部２０は、第２の雄ネジ部１６よりも下方に位置して、中栓１１の外周面を全周に亘って凹ませたリング状の溝部により構成されている。
【００４５】
一対の第１の弾性片２１は、周壁部１０ｂの相対（対向）する位置に周壁部１０ｂと連続して設けられている。具体的に、各第１の弾性片２１は、その周囲を切り欠くスリット２３の間から下方に向かって延長して設けられている。これにより、第１の弾性片２１は、スリット２３の間から下方に向かって延長されると共に、その先端（下端）側が拡径方向に弾性変形可能となっている。
【００４６】
係止部２２は、第１の弾性片２１の先端（下端）側の内周面から突出された突起部により構成されている。
【００４７】
仮止め機構１９では、仮止め位置において、内蓋１０の内側に中栓１１を嵌め込むことによって、一対の第１の弾性片２１を拡径方向に弾性変形させながら、被係止部２０に係止部２２が係止された状態となる。これにより、仮止め位置において、中栓１１に内蓋１０を仮止めすることができる。
【００４８】
一方、仮止め機構１９では、この仮止め位置において、一対の第１の弾性片２１を拡径方向に弾性変形させながら、被係止部２０に対する係止部２２の係止状態を解除することによって、中栓１１から内蓋１０を取り外すことが可能である。
【００４９】
蓋体３は、図３及び図４に示すように、上述した仮止め位置において、中栓１１に対して内蓋１０が開方向に回転することを規制する回り止め機構２４を備えている。
【００５０】
回り止め機構２４は、中栓１１の外周部に設けられた外周側当接部２５と、内蓋１０の内周部に設けられた内周側当接部２６とを有している。外周側当接部２５は、第２の雄ネジ部１６の終端側に位置して、中栓１１の外周面から拡径方向に突出された突起部により構成されている。内周側当接部２６は、第２の雌ネジ部１５の始端側に位置して、内蓋１０の内周面から縮径方向に突出された突起部により構成されている。
【００５１】
回り止め機構２４では、仮止め位置において、外周側当接部２５と内周側当接部２６とが互いに当接されることによって、中栓１１に対して内蓋１０が開方向に回転することを規制することができる。したがって、仮止め機構１９を介して中栓１１に仮止めされた内蓋１０は、仮止め位置において、中栓１１に対して閉方向にのみ回転させることが可能である。
【００５２】
蓋体３は、図３〜図５、図１２及び図１３に示すように、上述した取付位置において、第２の雌ネジ部１５と第２の雄ネジ部１６との螺合が完了するまでの間にクリック感を付与するクリック機構２７を備えている。
【００５３】
クリック機構２７は、外蓋９に設けられた外側係合凸部２８と、内蓋１０に設けられた内側係合凸部２９とを有している。
【００５４】
外側係合凸部２８は、周壁部９ａの内周面における相対（対向）する位置から縮径方向に突出して設けられている。また、外側係止凸部２８は、中栓１１に対して内蓋１０を閉方向に回す側に向かって漸次勾配が高くなる傾斜面２８ａを有している。
【００５５】
内側係合凸部２９は、内蓋１０の周壁部１０ｂに設けられた一対の第２の弾性片３０の先端側に設けられている。一対の第２の弾性片３０は、周壁部１０ｂの相対（対向）する位置に周壁部１０ｂと連続して設けられている。具体的に、各第２の弾性片３０は、周壁部１０ｂの上端を上下方向に切り欠く一対のスリット３１ａ，３１ｂの間から上方に向かって延長して設けられている。また、一対のスリット３１ａ，３１ｂは、上述した第１の弾性片２１を形成するスリット２３を挟んだ両側に位置している。
【００５６】
これにより、第２の弾性片３０は、その先端（上端）側が縮径方向に弾性変形可能となっている。内側係合凸部２９は、第２の弾性片３０の先端（上端）側から上側フランジ部１０ｃよりも外側に突出して設けられている。
【００５７】
クリック機構２７では、仮止め位置から中栓１１に対して内蓋１０を閉方向に回すことによって、内側係合凸部２９が外側係合凸部２８の傾斜面２８ａと摺接しながら、第２の弾性片３０を縮径方向に弾性変形させる。そして、内側係合凸部２９が外側係合凸部２８を乗り越えることによって、図１２に示すように、第２の弾性片３０が元の位置へと弾性復帰し、取付位置にて内側係合凸部２９と外側係合凸部２８とが係合された状態となる。
【００５８】
クリック機構２７では、このような内側係合凸部２９が外側係合凸部２８を乗り越えるときに得られるクリック感によって、内蓋１０が取付位置に到達したこと、すなわち、中栓１１に内蓋１０が取り付けられたことを容易に確認することができる。
【００５９】
一方、クリック機構２７では、取付位置から中栓１１に対して内蓋１０を開方向に回すことによって、第２の弾性片３０を縮径方向に弾性変形させる。そして、内側係合凸部２９が外側係合凸部２８を乗り越えることによって、図１３に示すように、第２の弾性片３０が元の位置へと弾性復帰し、内側係合凸部２９と外側係合凸部２８との係合が解除された状態となる。
【００６０】
クリック機構２７では、上述した傾斜面２８ａの勾配の向きによって、閉方向に向かって内側係合凸部２９が外側係合凸部２８を乗り越えるときよりも、開方向に向かって内側係合凸部２９が外側係合凸部２８を乗り越えるときの抵抗が高くなっている。これにより、取付位置にある外蓋９（中栓１１）が内蓋１０に対して不用意に緩むことを防止している。
【００６１】
なお、本実施形態のクリック機構２７では、上述した傾斜面２８ａが設けられた外側係合凸部２８を内側係合凸部２９が乗り越えたときにクリック感を付与する構成となっているが、それとは逆に、傾斜面が設けられた内側係合凸部２９を外側係合凸部２８が乗り越えたときにクリック感を付与する構成としてもよい。
【００６２】
また、クリック機構２７におけるクリック感の強弱については、内側係合凸部２９、外側係合凸部２８及び第２の弾性片３０の形状、表面状態、材質等で調整することが可能である。一方、クリック感を全く出さないようにすることも可能である。
【００６３】
以上のような構成を有する本実施形態の蓋付き容器１では、上述した仮止め機構１９により中栓１１に対して内蓋１０が仮止め位置にて仮止めされた状態から、この中栓１１に仮止めされた内蓋１０を開口部２ａから容器本体２の内側に嵌め込んだ状態とする。そして、この状態から、外蓋９を閉方向に回すことによって、第１の雌ネジ部７と第１の雄ネジ部１２との螺合が開始される。また、第１の雌ネジ部７と第１の雄ネジ部１２との螺合により容器本体２に対して内蓋１０が下降することによって、図７に示すように、止水パッキン１３が張出部８に当接した状態となる。
【００６４】
この状態から、更に外蓋９を閉方向に回すことによって、図８に示すように、容器本体２の内側に嵌め込まれた内蓋１０に対して中栓１１が外蓋９と一体に閉方向に回りながら、第２の雌ネジ部１５と第２の雄ネジ部１６との螺合が開始される。
【００６５】
ここで、止水パッキン１３と張出部８の間に生じる摺動抵抗に対して、クリック機構２７における内側係合凸部２９が外側係合凸部２８を乗り越える際の摺動抵抗の方が小さくなっている。これにより、容器本体２の内側に嵌め込まれた内蓋１０に対して中栓１１が外蓋９と一体に閉方向に回りながら、内側係合凸部２９が外側係合凸部２８を乗り越えたときにクリック感を得ることができる。
【００６６】
そして、第２の雌ネジ部１５と第２の雄ネジ部１６との螺合が完了することによって、取付位置にて内蓋１０が中栓１１に取り付けられた状態となる。また、第２の雌ネジ部１５と第２の雄ネジ部１６との螺合により内蓋１０に対して中栓１１が下降することによって、通気孔１７の周囲に栓体１８が当接し、通気孔１７が密閉（閉塞）された状態となる。
【００６７】
第２の雌ネジ部１５と第２の雄ネジ部１６との螺合が完了した後は、図９に示すように、更に外蓋９を閉方向に回すことによって、内蓋１０が外蓋９と一体に閉方向に回りながら、第１の雌ネジ部７と第１の雄ネジ部１２とが螺合される。
【００６８】
そして、第１の雌ネジ部７と第１の雄ネジ部１２との螺合が完了することによって、容器本体２に蓋体３が取り付けられた状態となる。また、第１の雌ネジ部７と第１の雄ネジ部１２との螺合により容器本体２に対して内蓋１０が下降することによって、止水パッキン１３の弾性フランジ部１３ａが弾性変形しながら、張出部８に全周に亘って密着し、容器本体２と内蓋１０との間が密閉された状態となる。
【００６９】
ここで、内蓋１０の中心が容器本体２の中心に対して若干ずれた位置に取り付けられていたとしても、内蓋１０が外蓋９と一体に閉方向に回るうちに、緩やかなすり鉢形状に形成された張出部８の形状に沿うように内蓋１０が誘導され、中心軸が合う方向へ内蓋１０が移動する。これにより、容器本体２と内蓋１０との中心軸が一致することで、止水パッキン１３が張出部８に全周に亘って偏りなく密着し、良好な止水性を発揮することができる。
【００７０】
一方、容器本体２に蓋体３が取り付けられた状態から、外蓋９を開方向に回すことによって、図１０に示すように、内蓋１０に対して中栓１１が外蓋９と一体に開方向に回りながら、第２の雌ネジ部１５と第２の雄ネジ部１６との螺合が解除される。これにより、内蓋１０は、仮止め位置にて中栓１１に仮止めされた状態となる。
【００７１】
また、内蓋１０に対して中栓１１が上昇することによって、通気孔１７の周囲に対する栓体１８の当接が解除されて、通気孔１７が開放された状態となる。これにより、通気孔１７を通して容器本体２内の圧力が開放されるため、容器本体２内の圧力が外部と同じ圧力（大気圧）となる。
【００７２】
そして、この状態から、更に外蓋９を開方向に回すことによって、図１１に示すように、回り止め機構２４の外周側当接部２５に内周側当接部２６が当接されることによって、内蓋１０が外蓋９と一体に開方向に回りながら、第１の雌ネジ部７と第１の雄ネジ部１２との螺合が解除される。また、容器本体２に対して内蓋１０が上昇することによって、張出部８に対する止水パッキン１３の当接が解除される。
【００７３】
これにより、容器本体２から蓋体３が取り外し可能な状態となる。すなわち、仮止め機構１９により内蓋１０が中栓１１に仮止めされた状態のまま、この内蓋１０を外蓋９と共に、容器本体２から取り外すことが可能となる。
【００７４】
ここで、第１の弾性片２１の外周側には、第１の雄ネジ部１２が設けられている。このため、蓋体３が容器本体２に取り付けられた状態では、第１の雌ネジ部７と第１の雄ネジ部１２とが螺合しており、第１の弾性片２１が拡径側に弾性変形することはない。このため、第２の雌ネジ部１５と第２の雄ネジ部１６との螺合が解除された後でも、第１の雌ネジ部７と第１の雄ネジ部１２との螺合が解除されない状態では、被係止部２０に対する係止部２２の係止状態が解除されることはない。したがって、容器本体２から蓋体３を取り外すまでは、仮止め機構１９により内蓋１０が中栓１１に仮止めされた状態のまま、内蓋１０が中栓１１（外蓋９）から不意に外れることがなく、安全である。
【００７５】
以上のように、本実施形態の蓋付き容器１では、上述した容器本体２と内蓋１０との間で第１の雌ネジ部７と第１の雄ネジ部１２との螺合が解除される前に、内蓋１０と中栓１１との間で第２の雌ネジ部１５と第２の雄ネジ部１６との螺合が解除されることで、通気孔１７の周囲に対する栓体１８の当接が解除されて、この通気孔１７が開放された状態となる。
【００７６】
すなわち、本実施形態の蓋付き容器１では、容器本体２に対して内蓋１０が螺合により取り付けられた状態のまま、この内蓋１０に対する中栓１１の螺合を解除し、通気孔１７を開放することが可能である。
【００７７】
これにより、容器本体２内の圧力上昇により内蓋１０が外蓋９（中栓１１）に押し付けられた場合や、容器本体２内の圧力低下により内蓋１０が容器本体２の内側に引っ張られた場合でも、影響を受けることなく、内蓋１０に対する中栓１１の螺合を解除し、通気孔１７を容易に開放することが可能である。
【００７８】
また、本実施形態の蓋付き容器１では、通気孔１７が開放された後に、容器本体２と内蓋１０との間で第１の雌ネジ部７と第１の雄ネジ部１２との螺合が解除されることで、容器本体２内の圧力上昇により内蓋１０及び外蓋９（中栓１１）が上方へ飛び出すことがなく、安全に容器本体２から蓋体３を取り外すことが可能である。
【００７９】
したがって、本実施形態の蓋付き容器１では、容器本体２内の圧力が上昇した場合や容器本体２内の圧力が低下した場合でも、蓋体３を容易に且つ安全に取り外すことが可能である。
【００８０】
なお、容器本体２内の圧力が上昇する（陽圧となる）場合としては、例えば、容器本体２の内部に高温の内容物を入れたときや、容器本体２内の内容物が腐敗してガスが発生したときなどを挙げることができる。一方、容器本体２内の圧力が低下する（負圧となる）場合としては、例えば、容器本体２の内部に高温の内容物を入れた後に、その内容物が冷めたときなどを挙げることができる。
【００８１】
なお、本発明は、上記実施形態のものに必ずしも限定されるものではなく、本発明の趣旨を逸脱しない範囲において種々の変更を加えることが可能である。
例えば、上記蓋付き容器１では、上述した仮止め機構１９を介して中栓１１に仮止めされた内蓋１０を容器本体２の内側に嵌め込む構成となっているが、内蓋１０を開口部２ａから容器本体２の内側に嵌め込んだ後に、中栓１１を内蓋１０の内側に嵌め込んだ状態から、外蓋９を閉方向に回すことも可能である。
【００８２】
この場合、外蓋９を閉方向に回すことによって、第１の雌ネジ部７と第１の雄ネジ部１２との螺合が開始された後、止水パッキン１３が張出部８に当接し、第２の雌ネジ部１５と第２の雄ネジ部１６との螺合が開始される。そして、第２の雌ネジ部１５と第２の雄ネジ部１６との螺合が完了することによって、上記図７に示す場合と同様に、取付位置にて内蓋１０が中栓１１に取り付けられた状態となる。
【００８３】
第２の雌ネジ部１５と第２の雄ネジ部１６との螺合が完了した後は、更に外蓋９を閉方向に回すことによって、内蓋１０が外蓋９と一体に閉方向に回りながら、第１の雌ネジ部７と第１の雄ネジ部１２との螺合が完了する。これにより、上記図８に示す場合と同様に、容器本体２に蓋体３が取り付けられた状態となる。
【００８４】
なお、中栓１１を内蓋１０の内側に嵌め込んだ際に、内蓋１０に対して中栓１１が仮止め位置から周方向にずれていた場合でも、外蓋９を閉方向に回すことによって、仮止め位置にて内蓋１０が中栓１１に対して仮止めされた状態となる。したがって、この状態から、更に外蓋９を閉方向に回すことによって、容器本体２に蓋体３を取り付けることが可能である。
【００８５】
また、上記蓋付き容器１では、上述した仮止め機構１９を省略することも可能である。この場合も、内蓋１０を開口部２ａから容器本体２の内側に嵌め込んだ後に、中栓１１を内蓋１０の内側に嵌め込んだ状態とする。そして、この状態から、外蓋９を閉方向に回すことによって、第１の雌ネジ部７と第１の雄ネジ部１２との螺合が開始され、止水パッキン１３が張出部８に当接し、第２の雌ネジ部１５と第２の雄ネジ部１６との螺合が開始される。そして、第２の雌ネジ部１５と第２の雄ネジ部１６との螺合が完了することによって、取付位置にて内蓋１０が中栓１１に取り付けられた状態となる。
【００８６】
第２の雌ネジ部１５と第２の雄ネジ部１６との螺合が完了した後は、更に外蓋９を閉方向に回すことによって、内蓋１０が外蓋９と一体に閉方向に回りながら、第１の雌ネジ部７と第１の雄ネジ部１２との螺合が完了する。これにより、容器本体２に蓋体３が取り付けられた状態となる。
【００８７】
一方、容器本体２に蓋体３が取り付けられた状態から、外蓋９を開方向に回すことによって、内蓋１０に対して中栓１１が外蓋９と一体に開方向に回りながら、第２の雌ネジ部１５と第２の雄ネジ部１６との螺合が解除される。
【００８８】
そして、この状態から、更に外蓋９を開方向に回すことによって、回り止め機構２４の外周側当接部２５に内周側当接部２６が当接されることによって、内蓋１０が外蓋９と一体に開方向に回りながら、第１の雌ネジ部７と第１の雄ネジ部１２との螺合が解除される。
【００８９】
これにより、容器本体２から蓋体３が取り外し可能な状態となる。この場合、容器本体２から外蓋９を取り外した後に、容器本体２から内蓋１０を取り外すことになる。
【００９０】
また、上記蓋付き容器１では、上述した第１の雌ネジ部７と第１の雄ネジ部１２との螺合が開始された後、止水パッキン１３が張出部８に当接した状態となる構成となっているが、仮止め機構１９により中栓１１に仮止めされた内蓋１０を開口部２ａから容器本体２の内側に嵌め込むことによって、止水パッキン１３が張出部８に当接した状態となる構成であってもよい。
【００９１】
この構成の場合、この状態から、外蓋９を閉方向に回すことによって、第２の雌ネジ部１５と第２の雄ネジ部１６との螺合が開始される。そして、第２の雌ネジ部１５と第２の雄ネジ部１６との螺合が完了することによって、取付位置にて内蓋１０が中栓１１に取り付けられた状態となる。
【００９２】
第２の雌ネジ部１５と第２の雄ネジ部１６との螺合が完了した後は、第１の雌ネジ部７と第１の雄ネジ部１２との螺合が開始される。そして、この状態から、更に外蓋９を閉方向に回すことによって、内蓋１０が外蓋９と一体に閉方向に回りながら、第１の雌ネジ部７と第１の雄ネジ部１２との螺合が完了する。これにより、容器本体２に蓋体３が取り付けられた状態となる。
【００９３】
一方、容器本体２に蓋体３が取り付けられた状態から、外蓋９を開方向に回すことによって、内蓋１０に対して中栓１１が外蓋９と一体に開方向に回りながら、第２の雌ネジ部１５と第２の雄ネジ部１６との螺合が解除される。これにより、内蓋１０は、仮止め位置にて中栓１１に仮止めされた状態となる。
【００９４】
そして、この状態から、更に外蓋９を開方向に回すことによって、回り止め機構２４の外周側当接部２５に内周側当接部２６が当接されることによって、内蓋１０が外蓋９と一体に開方向に回りながら、第１の雌ネジ部７と第１の雄ネジ部１２との螺合が解除される。
【００９５】
これにより、容器本体２から蓋体３が取り外し可能な状態となる。すなわち、仮止め機構１９により内蓋１０が中栓１１に仮止めされた状態のまま、この内蓋１０を外蓋９と共に、容器本体２から取り外すことが可能となる。
【００９６】
また、この構成の場合も、上述した内蓋１０を開口部２ａから容器本体２の内側に嵌め込んだ後に、中栓１１を内蓋１０の内側に嵌め込んだ状態から、外蓋９を閉方向に回すことも可能である。さらに、上述した仮止め機構１９を省略した構成とすることも可能である。
【００９７】
また、上記蓋付き容器１では、上述した中栓１１に取り付けられた栓体１８によって、内蓋１０に設けられた通気孔１７を閉塞する構成となっているが、通気孔が設けられた弾性部材を内蓋１０に取り付けて、中栓１１に設けられた栓体となる突起部を弾性部材に当接させることによって、通気孔を閉塞する構成とすることも可能である。
【００９８】
なお、本発明は、上述した真空断熱構造を有する容器本体によって保温・保冷機能を持たせた蓋付き容器に好適に適用できるが、上述した開口部が設けられた容器本体と、開口部を開閉する蓋体とを備えた蓋付き容器に対して本発明を幅広く適用することが可能である。
【符号の説明】
【００９９】
１…蓋付き容器  ２…容器本体  ２ａ…開口部  ３…蓋体  ７…第１の雌ネジ部  ８…張出部  ９…外蓋  １０…内蓋  １１…中栓  １２…第１の雄ネジ部  １３…止水パッキン（シール部材）  １５…第２の雌ネジ部  １６…第２の雄ネジ部  １７…通気孔  １８…栓体  １９…仮止め機構  ２０…被係止部  ２１…第１の弾性片  ２２…係止部  ２４…回り止め機構  ２５…外周側当接部  ２６…内周側当接部  ２７…クリック機構  ２８…外側係合凸部  ２９…内側係合凸部  ３０…第２の弾性片
【図１】
2020186014.tif 000003
【図２】
2020186014.tif 000004
【図３】
2020186014.tif 000005
【図４】
2020186014.tif 000006
【図５】
2020186014.tif 000007
【図６】
2020186014.tif 000008
【図７】
2020186014.tif 000009
【図８】
2020186014.tif 000010
【図９】
2020186014.tif 000011
【図１０】
2020186014.tif 000012
【図１１】
2020186014.tif 000013
【図１２】
2020186014.tif 000014
【図１３】
2020186014.tif 000015